(57)【要約】      （修正有）【課題】撮影に適した位置に利用者を誘導する指標をミラー本体に表示し、利用者が指標に位置を合わせる際の違和感を抑制するカメラ付きミラー装置及びミラー付き什器を提供する。【解決手段】鏡像を形成する鏡面を備えたミラー本体１と、ミラー本体１の前方を視野としてミラー本体１に正対する人を撮影するカメラ２とを備える。ミラー本体１の後方の定位置には、人の視知覚において人の鏡像の位置と等価になる指標を表示する指標表示装置５が配置される。指標表示装置５は、カメラ２に対して利用者の位置を合わせるための指標を表示するように表示制御装置６により制御される。【選択図】図１
2013145323.tif 000002
【特許請求の範囲】
【請求項１】
鏡像を形成する鏡面を備えたミラー本体と、前記ミラー本体の前方を視野として前記ミラー本体に正対する人を撮影するカメラと、前記人の視知覚において前記人の鏡像の位置と等価になる定位置に指標を表示する指標表示装置と、前記カメラに対して前記人の位置を合わせるための指標を前記指標表示装置に表示させる表示制御装置とを備えることを特徴とするカメラ付きミラー装置。
【請求項２】
前記カメラでの撮影時における前記鏡面から前記人までの距離が撮影距離として規定されており、前記ミラー本体は前面が前記鏡面であるハーフミラーからなり、前記指標表示装置は前記ミラー本体の後方において光学的に前記撮影距離となる位置に配置されていることを特徴とする請求項１記載のカメラ付きミラー装置。
【請求項３】
前記指標表示装置は、立体視が可能なディスプレイ装置と、前記ディスプレイ装置に表示する前記人の視知覚における前記指標までの距離を調節する距離調節部とを備えることを特徴とする請求項１記載のカメラ付きミラー装置。
【請求項４】
前記指標は、前記人の両眼を結ぶ方向とは交差する方向に延長されており、前記指標表示装置は、前記人の両眼を結ぶ方向に延長された別の指標を前記指標とともに表示する機能を備えることを特徴とする請求項１記載のカメラ付きミラー装置。
【請求項５】
前記表示制御装置は、前記カメラが撮影を行っている期間には前記指標が非表示になるように前記指標表示装置に指示することを特徴とする請求項１〜４のいずれか１項に記載のカメラ付きミラー装置。
【請求項６】
鏡像を形成する鏡面を備えたミラー本体と、前記ミラー本体の前方を視野として前記ミラー本体に正対する人を撮影するカメラと、前記ミラー本体の前記鏡面に形成された指標表示部とを備え、前記指標表示部は、左右に離間した２本の補助指標を含み、前記補助指標は、前記人の位置が前記カメラに対して規定された位置であるときに、前記人の視知覚において前記人の鏡像の位置と等価になる位置に指標が認識される位置に配置されていることを特徴とするカメラ付きミラー装置。
【請求項７】
前記カメラが撮像した画像から所要の情報を抽出する処理部と、前記処理部が抽出した前記情報を表示するディスプレイ装置とをさらに備えることを特徴とする請求項１〜６のいずれか１項に記載のカメラ付きミラー装置。
【請求項８】
請求項１〜７のいずれか１項に記載のカメラ付きミラー装置と、什器本体とを備えることを特徴とするミラー付き什器。
【発明の詳細な説明】
【技術分野】
【０００１】
本発明は、鏡像を形成する鏡面を備え、鏡面の前方を視野とするカメラが付設されたカメラ付きミラー装置、およびこのカメラ付きミラー装置を備えるミラー付き什器に関するものである。
【背景技術】
【０００２】
従来から、顔認証システムや証明写真の撮影を目的として、利用者の顔等の位置をカメラに対して合わせるための技術が提案されている。たとえば、特許文献１には、鼻梁を配置すべき位置を示すガイドと、目を配置すべき位置を示すガイドとを、利用者の撮影画像に重ねて表示する技術が記載されている。特許文献１に記載された技術では、ガイドをハーフミラーの反射面に直接形成する構成に加え、光学的に表示するために、ハーフミラーの上方に別のハーフミラーを配置し、上方のハーフミラーにガイド投影部からガイドを投影する構成についても開示している。
【先行技術文献】
【特許文献】
【０００３】
【特許文献１】特開２００３−２１８５９号公報
【発明の概要】
【発明が解決しようとする課題】
【０００４】
ところで、特許文献１に記載された構成は、利用者とガイドが形成されたハーフミラーとが、利用者に正対せず、利用者から見て下端より上端が遠方に位置するように傾斜している。すなわち、利用者の上下方向の部位に応じて、利用者の撮影画像とガイドとの距離に相違が生じている。
【０００５】
特許文献１に記載された構成は、ハーフミラーの鏡面に映っている利用者の撮影画像の顔の位置をガイドに合わせることにより、カメラに対する利用者の顔の位置を合わせることだけを目的としており、ハーフミラーを鏡として利用することはとくに考えられていない。また、特許文献１に記載された構成では、ハーフミラーの鏡面の前方からガイドを投影しているから、利用者の撮影画像の鏡像と同様に、ガイドの鏡像がハーフミラーの鏡面に対して後方に形成される。
【０００６】
しかしながら、利用者からの光学的な距離が適切に設定されておらず、視覚的に異なる距離にある利用者の撮影位置の鏡像とガイドの鏡像との位置を合わせることになるから、利用者の位置をガイドに合わせる際に違和感が生じやすい。とくに、利用者が主として顔付近を中心にして鏡面に映そうとする場合、顔と鏡面との距離が近くなるから、光学的な距離の違いの影響が大きくなり、違和感がより大きくなる。
【０００７】
本発明は、カメラでの撮影に適した位置に利用者を誘導するためにミラー本体に指標を表示する構成であって、利用者が指標に位置を合わせる際の違和感を抑制し、かつ利用者の鏡像を形成するための鏡面を利用者に正対させたカメラ付きミラー装置、およびこのカメラ付きミラー装置を用いたミラー付き什器を提供することを目的とする。
【課題を解決するための手段】
【０００８】
本発明に係るカメラ付きミラー装置は、上記目的を達成するために、鏡像を形成する鏡面を備えたミラー本体と、前記ミラー本体の前方を視野として前記ミラー本体に正対する人を撮影するカメラと、前記人の視知覚において前記人の鏡像の位置と等価になる定位置に指標を表示する指標表示装置と、前記カメラに対して前記人の位置を合わせるための指標を前記指標表示装置に表示させる表示制御装置とを備えることを特徴とする。
【０００９】
このカメラ付きミラー装置において、前記カメラでの撮影時における前記鏡面から前記人までの距離が撮影距離として規定されており、前記ミラー本体は前面が前記鏡面であるハーフミラーからなり、前記指標表示装置は前記ミラー本体の後方において光学的に前記撮影距離となる位置に配置されていることが好ましい。
【００１０】
このカメラ付きミラー装置において、前記指標表示装置は、立体視が可能なディスプレイ装置と、前記ディスプレイ装置に表示する前記人の視知覚における前記指標までの距離を調節する距離調節部とを備えることが好ましい
このカメラ付きミラー装置において、前記指標は、前記人の両眼を結ぶ方向とは交差する方向に延長されており、前記指標表示装置は、前記人の両眼を結ぶ方向に延長された別の指標を前記指標とともに表示する機能を備えることが好ましい。
【００１１】
このカメラ付きミラー装置において、前記表示制御装置は、前記カメラが撮影を行っている期間には前記指標が非表示になるように前記指標表示装置に指示することがさらに好ましい。
【００１２】
本発明に係るカメラ付きミラー装置は、鏡像を形成する鏡面を備えたミラー本体と、前記ミラー本体の前方を視野として前記ミラー本体に正対する人を撮影するカメラと、前記ミラー本体の前記鏡面に形成された指標表示部とを備え、前記指標表示部は、左右に離間した２本の補助指標を含み、前記補助指標は、前記人の位置が前記カメラに対して規定された位置であるときに、前記人の視知覚において前記人の鏡像の位置と等価になる位置に指標が認識される位置に配置されていることを特徴とする。
【００１３】
このカメラ付きミラー装置において、前記カメラが撮像した画像から所要の情報を抽出する処理部と、前記処理部が抽出した前記情報を表示するディスプレイ装置とをさらに備えることが好ましい。
【００１４】
本発明に係るミラー付き什器は、上述した構成から選択されるカメラ付きミラー装置と、什器本体とを備えることを特徴とする。
【発明の効果】
【００１５】
本発明の構成によれば、カメラでの撮影に適した位置に利用者を誘導するためにミラー本体に指標を表示するとともに、利用者が指標に位置を合わせる際の違和感を抑制するころができるという効果が期待でき、また、利用者の鏡像を形成するための鏡面を利用者に正対させることによって、奥行き寸法の増加を抑制することができるという利点がある。
【図面の簡単な説明】
【００１６】
【図１】実施形態１を示す側面図である。
【図２】同上に用いる指標の例を示す正面図である。
【図３】同上の変形例を示す側面図である。
【図４】実施形態２を示す側面図である。
【図５】同上の正面図である。
【図６】（ａ）は実施形態３を示す側面図、（ｂ）は同上の平面図である。
【図７】実施形態４を示す側面図である。
【図８】同上に用いる指標の例を示す正面図である。
【図９】実施形態５を示す側面図である。
【発明を実施するための形態】
【００１７】
（実施形態１）
本実施形態は、図１に示すように、鏡像を形成する鏡面を備えたミラー本体１と、ミラー本体１の前方を視野とするカメラ２と、ミラー本体１の下部に配置されたディスプレイ装置３とを備える。ディスプレイ装置３は、必ずしもミラー本体１の下部に配置しなくてもよく、ミラー本体１とは別に配置してもよい。
【００１８】
本実施形態では、ミラー本体１は、一部の光を透過させ残りの光を反射させるハーフミラーが用いられる。カメラ２は、ＣＣＤイメージセンサあるいはＣＭＯＳイメージセンサであって、ミラー本体１に正対する人を正面から撮像できるように配置される。
【００１９】
ディスプレイ装置３は、ミラー本体１の背面側に配置される。この場合、ハーフミラーの反射率は７０％より大きいことが好ましい。ディスプレイ装置３は、発光して表示を行う構成であって、バックライト付きの液晶表示器を想定しているが、プラズマディスプレイ、ＥＬ表示器、リアプロジェクタ型のディスプレイなどを用いることも可能である。また、ディスプレイ装置３は、文字列だけではなく、画像も表示可能であることが好ましいから、ドットマトリクス方式を採用している。なお、ディスプレイ装置３をミラー本体１の一部に埋め込まれるように配置したり、ミラー本体１の前面側に配置することも可能である。
【００２０】
カメラ２により撮像された画像はコンピュータを主構成とする処理部４に入力される。処理部４は、適宜のプログラムを実行することにより、入力された画像から所要の情報を抽出する。処理部４は、たとえば、ミラー本体１に正対する人の顔を含む領域、あるいは全身を含む領域を撮像した画像から、顔に関する情報や身体もしくは服装に関する情報を抽出する機能を備える。この種の機能は周知であるから詳述しない。以下では、カメラ２が顔を含む領域を撮像し、顔認識の技術を用いて顔に相当する顔領域を着目領域として抽出する場合を想定して説明する。身体や服装に関する情報を抽出する場合には、それらに相当する領域を着目領域として抽出すればよい。
【００２１】
処理部４は、顔領域を抽出すると、顔領域を形状や位置の特徴を用いて複数の部分領域（輪郭、目、鼻、口など）に分解し、部分領域ごとにあらかじめ定められている属性（形状、色など）を抽出する。このように顔領域を部分領域に分解するとともに部分領域ごとに属性を抽出することによって、部分領域ごとの属性の分析や、属性の変更による画像の加工などが可能になる。また、処理部４は、顔領域から部分領域を情報として抽出するほか、顔領域の照度の分布や色の分布、表面粗度やつや、部分領域の位置関係のような特徴量も情報として抽出することが好ましい。
【００２２】
処理部４は、カメラ２により撮像された画像から上述のような情報を抽出し、さらに抽出した情報を解析することにより、顔色、肌の状態（しみ、しわを含む）、表情、化粧の仕上がりなどを評価した情報を抽出する。処理部４において最終的にどのような情報を抽出するかは、利用者が選択することが好ましいが、あらかじめ定めた情報のみを抽出するようにしてもよい。抽出する情報の選択を可能にする場合、ディスプレイ装置３にタッチスイッチを組み合わせたタッチパネルを操作部として用い、タッチパネルを用いて処理部４に指示を与えるようにすればよい。
【００２３】
処理部４が抽出した情報は、ディスプレイ装置３に表示される。すなわち、ディスプレイ装置３は、顔領域に関して評価した情報を表示する。また、処理部４は、顔領域の画像を加工した場合、加工後の顔領域の画像をディスプレイ装置３に表示する機能を備える。処理部４が現状の顔領域から抽出した情報をディスプレイ装置３に表示すれば、利用者は化粧や手入れに必要な情報が得られ、また表情や顔色の分析結果から健康状態に関する情報が得られる。
【００２４】
ところで、カメラ２で撮影した画像から上述のような情報を抽出する場合、カメラ２で撮影するたびにカメラ２に対する顔の位置（とくに、向き）が異なっていると、形状に関して抽出される情報がばらつく可能性がある。たとえば、カメラ２による撮影の都度、影の位置にばらつきがあると、撮影した画像から抽出される情報にばらつきが生じる可能性がある。したがって、撮影時にはカメラ２に対する顔の位置を合わせることが望ましい。本実施形態は、利用者がミラー本体１に正対している状態において利用者による視認が可能な指標を定位置に表示し、利用者が指標を目標位置として顔の位置や向きを調節することによって、カメラ２に対する顔の位置のばらつきを抑制しようとするものである。
【００２５】
本実施形態は、カメラ２に対する顔の位置を規定の位置に合わせるための指標を定位置に表示する装置として、ハーフミラーからなるミラー装置１の後方に配置される指標表示装置５を用いる。指標表示装置５は、バックライト付きの液晶表示器などからなり、指標を示すために発光して表示する機能を有している。指標は直線のような簡単な図形でよいから、指標表示装置５として用いる表示器はドットマトリクスディスプレイのほか、線状の発光素子などを用いることも可能である。ミラー装置１が通常の鏡として使用される場合であって、カメラ２による撮影を行わないのであれば指標は不要であるから、指標の表示と非表示とを切り換えるために表示制御装置６が設けられる。表示制御装置６は、処理部４とともにコンピュータで構成すればよい。
【００２６】
指標表示装置５は、人の視知覚において利用者の鏡像の位置と等価になる定位置に指標を表示するように配置される。たとえば、ミラー装置１の鏡面から利用者までの距離が撮影距離として規定されている場合には、ミラー装置１の鏡面に対して、撮影距離だけ後方に指標表示装置５が配置される。指標表示装置５がこのように配置されることによって、利用者から見た指標の位置は、利用者の鏡像と等距離に位置するように知覚される。したがって、利用者は指標と顔との位置関係が適正に見えるように顔の位置（向きを含む）を調節すれば、カメラ２に対する顔の位置をほぼ一定の関係とすることが可能になる。すなわち、カメラ２に対する顔の位置が規定位置に合わせられることになる。
【００２７】
ここに指標は、図２に示すように、鼻梁の位置を合わせるための上下方向の直線である第１指標Ｍ１と、目の位置を合わせるための左右方向の直線である第２指標Ｍ２とがあればよい。すなわち、第１指標Ｍ１は両眼を結ぶ方向とは交差する方向に延長され、第２指標Ｍ２は両眼を結ぶ方向に延長されていることになる。図示例では、第１指標Ｍ１および第２指標Ｍ２として直線を用いているが、必ずしも直線とする必要はなく、多数個のドットを一列に並べるなど、他の形状の指標を用いてもよい。
【００２８】
さらに、第１指標Ｍ１は鼻梁の位置であるから、利用者の身長にかかわらず同じ指標を用いることができるが、第２指標Ｍ２は、身長に応じて目の高さ位置が変化するから、身長の異なる利用者について同じ指標を用いることができない。そのため、指標表示装置５は、第２指標Ｍ２について、上下に複数段階の表示が選択可能となるように構成されていることが好ましい。表示制御装置６は、指標表示装置５に表示する第２指標Ｍ２を選択する機能を有する。すなわち、利用者は、身長に応じた高さ位置の第２指標Ｍ２を選択する必要があれば、タッチパネルを操作して表示制御装置６に指示を与える。第２指標Ｍ２の高さ位置を変更すれば、カメラ２に対する顔の位置は変化するが、同一の利用者が同じ高さ位置の第２指標Ｍ２を利用する限りは同じ撮影条件で撮影されるから、撮影条件を統一するという目的は達成できる。
【００２９】
図２に示す例では、第１指標Ｍ１と第２指標Ｍ２とに加えて、第１指標Ｍ１を中心として対称な位置に上下方向の直線である一対の第３指標Ｍ３を付加してある。２本の第３指標Ｍ３は、鏡面から顔までの距離の目安を与えるために設定されている。すなわち、利用者は、ミラー本体１に映る顔の鏡像の左右幅が第３指標Ｍ３で示される幅より若干小さい程度に見えるように、鏡面からの距離を調節することにより、カメラ２での撮影の際に鏡面から顔までの距離をほぼ一定にすることができる。
【００３０】
また、上述したように、表示制御装置６は、指標の表示と非表示とを選択する機能を備えるから、利用者がカメラ２に対して撮影の位置を合わせる際には指標を表示しておき、カメラ２で撮影を行う期間には指標を非表示にすることが好ましい。カメラ２で撮影する時点で指標を非表示にしておけば、指標が目や顔に映り込むことがなく、カメラ２で撮影した画像に指標が影響するのを防止できる。また、指標を表示している状態から非表示に切り換える時点を、カメラ２による撮影のタイミングとして、利用者に指示することが可能である。
【００３１】
なお、カメラ２での撮影のタイミングは、音や音声によって利用者に指示してもよい。また、処理部４がカメラ２で撮影している画像を認識し、利用者が適正な位置であるときの画像を、処理部４が処理する画像として採用するようにしてもよい。
【００３２】
上述した構成例では、ミラー本体１の鏡面から指標表示装置５までの距離を、ミラー本体１の鏡面から利用者までの距離とほぼ一致させている。したがって、ミラー本体１から指標表示装置５までの奥行き寸法が比較的大きくなっている。ところで、ミラー本体１の鏡面から指標表示装置５までの距離は、ミラー本体１の鏡面から利用者までの距離と光学的に同等であればよい。
【００３３】
したがって、図３に示すように、指標表示装置５をミラー本体１の鏡面に交差する向きに配置し、指標表示装置５とミラー本体１との間に補助ミラー７を付加することにより、指標が利用者に正立して見えるようにしてもよい。図示例では、指標表示装置５は下面が表示面であって、補助ミラー７は指標表示装置５の表示面とミラー本体１の鏡面とに対して４５度の角度をなすように配置している。
【００３４】
図３に示す構成を採用することにより、指標表示装置５の表示面をミラー本体１の鏡面の後方に対向させている場合と比較すると、ミラー本体１の後方における奥行き寸法を低減することが可能になる。すなわち、ミラー本体１から指標表示装置５までの光学的距離を満たすために、ミラー本体１の前後方向の寸法だけではなく、ミラー本体１の鏡面に沿った寸法も利用するから、ミラー本体１の前後方向における寸法を低減させることが可能になる。
【００３５】
上述のように、ミラー本体１の鏡面から利用者までの距離を規定しているが、両眼視差を固定するわけではないから、ミラー本体１の鏡面から指標表示装置５までの光学的距離が固定されるにもかかわらず、利用者の個人差によらない奥行き感が得られる。すなわち、利用者の個人差に関わらず、ミラー本体１の後方であって利用者の鏡像に重なる定位置に指標が知覚され、両眼視差の奥行き知覚が満足される。そのため、利用者の鏡像と指標との位置合わせが容易になり、カメラ２と利用者との位置を高い精度で合わせることが可能になる。また、ミラー本体１から利用者までの距離は規定されているが、利用者の位置を物理的に拘束するわけではないから、利用者は拘束による負担を感じることなくカメラ２との位置合わせが可能になる。
【００３６】
本実施形態は、ミラー本体１の鏡面から指標表示装置５までの光学的距離が、ミラー本体１の鏡面から利用者までの距離と等しければよいから、ミラー本体１の鏡面と指標表示装置５との間にレンズのように、物理的距離（幾何学的距離）を短縮する光学要素を配置してもよい。この種の光学要素は、カメラ付きミラー装置の全体としての奥行き寸法の低減に寄与する。
【００３７】
上述した実施形態では、処理部４は、カメラ２で撮影した画像から顔領域を抽出し、顔領域から所要の情報を抽出している。ただし、処理部４は、カメラ２で撮影した画像をディスプレイ装置３に表示するだけの機能であってもよい。すなわち、画像自体を画像から抽出される情報として用いることになる。このように撮影した画像をディスプレイ装置３に表示するだけでも、利用者の顔に相当する領域が表示されると、利用者は、撮影時に生じた影、顔に生じているしわやしみなどの状態を見ることが可能になる。
【００３８】
さらに、画像を記憶させる記憶部を設けておけば、過去に撮影した画像が履歴として保存されるから、過去の画像との比較によって、顔の状態の変化を知ることが可能になる。また、カメラ２で撮影した画像を加工せずにディスプレイ装置３に表示するとミラー本体１に形成された鏡像とは逆向きになる場合、処理部４は、カメラ２で撮影された画像をディスプレイ装置３に表示する際に、左右を反転させる処理を行えばよい。ただし、左右を反転させることは必須ではなく、カメラ２での撮影の位置とディスプレイ装置３の表示の位置との関係によっては左右を反転させる処理は必ずしも必要ではない。
【００３９】
さらに、ミラー本体１がハーフミラーであって、ディスプレイ装置３をミラー本体１の背面側に配置した構成では、ディスプレイ装置３をミラー本体１の一部に埋め込む構成と比較すると、ディスプレイ装置３を使用しないときに鏡面を広く使うことができる。
【００４０】
（実施形態２）
本実施形態は、指標表示装置５として裸眼で立体視の可能なディスプレイが用いられ、図４に示すように、ミラー本体１の背面に指標表示装置５が配置されている点で実施形態１と相違する。指標表示装置５として用いられるディスプレイは、たとえば、レンチキュラーシートを備え、左眼と右眼とで異なる画像が見えるように構成される。すなわち、指標表示装置５は、いわゆる３次元ディスプレイを用いて構成される。したがって、カメラ２に対して顔の位置が適正であるときに、視知覚としてミラー本体１の後方で利用者の鏡像と等距離になる位置に指標が認識されるように、立体視される適宜の指標を指標表示装置５に表示することが可能になる。
【００４１】
本実施形態の構成を採用すると、指標表示装置５の表示内容（たとえば、指標の位置）を調節することによって、指標を立体視するための条件を変化させることが可能である。したがって、カメラ２に対する利用者の位置関係を変更することが可能になり、指標表示装置５の表示内容に応じて様々な条件で利用者を撮影することが可能になる。すなわち、指標表示装置５の表示内容を変化させると、指標が適正に視認される位置が変化し、結果的に、カメラ２に対する利用者の顔の適正な位置を変化させることが可能になる。
【００４２】
指標表示装置５はディスプレイを用いているから、ディスプレイ装置３と共用することが可能である。たとえば、図５に示すように、一部または全部の表示領域において立体視が可能なディスプレイを用い、表示領域のうちの一部を指標表示装置５として用い、残りの表示領域をディスプレイ装置３として用いればよい。また、ディスプレイ装置３および指標表示装置５に用いるディスプレイとして、液晶表示器や有機ＥＬ表示器のようなフラットパネルディスプレイを用いることにより、カメラ付きミラー装置を薄型に形成することが可能である。すなわち、実施形態１の構成よりも奥行き寸法が小さくなる。他の構成および動作は実施形態１と同様である。
【００４３】
（実施形態３）
本実施形態の指標表示装置５は、図６に示すように、実施形態１において説明した第１指標Ｍ１（図２参照）を表示する第１表示装置５１と、第２指標Ｍ２（図２参照）を表示する第２表示装置５２とに分離されている。第１表示装置５１は、第１指標Ｍ１だけではなく、第３指標Ｍ３（図２参照）も表示可能としてもよい。
【００４４】
第１表示装置５１は、たとえば、発光して第１指標Ｍ１を表示する左右一対の指標表示器５１１，５１２と、２個の指標表示器５１１，５１２の間に配置された反射器５１３とにより構成される。指標表示器５１１，５１２は、表示面を互いに対向させるように配置される。また、反射器５１３は、平面視において２個の指標表示器５１１，５１２の表面とは、それぞれ４５度程度の角度をなす２枚の反射面を備える。指標表示器５１１，５１２は、液晶表示器や有機ＥＬ表示器のようなフラットパネルディスプレイ、あるいは上下方向の直線上に配列した複数個のＬＥＤ、上下方向の直線状に発光する発光装置などを用いることが可能である。
【００４５】
指標表示器５１１，５１２からミラー本体１の左右方向（図６（ｂ）の上下方向）に放射された光は、反射器５１３の２枚の反射面でそれぞれ反射されることにより、前方（図６（ｂ）の左方）に方向転換される。したがって、ミラー本体１の前方に位置する利用者は、反射器５１３を介して指標表示器５１１，５１２に表示された指標を視認することが可能になる。この構成では、指標表示器５１１，５１２を反射器５１３の左右に配置しているから、図３に示した実施形態１の構成と同様に、カメラ付きミラー装置の前後方向の寸法を低減させることが可能になる。
【００４６】
一方、第２表示器５２は、ミラー本体１の背面に左右方向の直線上に配列した複数個のＬＥＤ、左右方向の直線状に発光する発光装置などを用いることができる。第２表示器５２は第２指標Ｍ２を表示するので、利用者の目の高さ付近に配置することが好ましいが、利用者の身長を考慮して、上下複数段の第２表示器５２を配置し、必要に応じて発光させる第２表示器５２を選択してもよい。
【００４７】
本実施形態の構成では、第１指標Ｍ１について、指標表示器５１１，５１２にそれぞれ表示した指標を左眼と右眼とに個別に入射させている。したがって、指標表示器５１１，５１２に表示する指標を、両眼視差によって立体視が可能になるように構成することにより、奥行き感のある第１指標Ｍ１を利用者に視認させることが可能になる。すなわち、第１指標Ｍ１については、利用者の視知覚では実施形態２の構成と同様の奥行き感が得られることになる。
【００４８】
一方、利用者の両眼を結ぶ方向に延長された第２指標Ｍ２は、目の高さ位置を合わせるために用いられ、両眼視差による違和感が生じない程度、すなわち眼間距離程度以上の長さに設定することにより、利用者には二重に見えている状態でも、利用者の鏡像に対する位置合わせを精度よく行うことができるから、第２表示器５２は第２指標Ｍ２の奥行き感には関係なくミラー本体１の背面に取り付けてある。
【００４９】
上述のように、指標表示装置５が第１表示器５１と第２表示器５２とで構成され、第１表示器５１は第１指標Ｍ１に奥行き感が生じるように構成され、第２表示器５２は第２指標Ｍ２の奥行き感に関係なく構成されているので、指標表示装置５の設計が容易になる。すなわち、第１指標Ｍ１に適正な奥行き感が生じるように、第１表示器５１を調整すればよいから調整作業が容易である。
【００５０】
（実施形態４）
本実施形態は、指標表示装置５として電気的手段を用いずに目的を達成しようとするものである。本実施形態は、図７に示すように、ミラー本体１とカメラ２とディスプレイ装置３とを備え、さらに、カメラ２により撮影した画像を用いてディスプレイ装置３に表示する情報を抽出する処理部４を備える。これらの構成は実施形態１と同様である。
【００５１】
ところで、指標表示部５は、図８に示すように、ミラー本体１の鏡面に、左右に離間した上下方向の２本の直線を補助指標Ｍ４として備える。補助指標Ｍ４は鏡面の定位置に設けられる。さらに、利用者の左右の目を結ぶ左右方向の直線からなる第２指標Ｍ２と、補助指標Ｍ４を挟んで左右に離間した上下方向の２本の直線からなる第３指標Ｍ３とを備える。第２指標Ｍ２、第３指標Ｍ３、補助指標Ｍ４は、いずれもミラー本体１の鏡面に表記されていればよいが、直線状に発光する発光素子を用いて構成してもよい。指標をミラー本体１の鏡面に表記する場合は、ミラー本体１として透過性のない通常の鏡を用いることが可能である。また、指標として発光素子を用いる場合は、ミラー本体１としてハーフミラーを用いるとともにミラー本体１の前後面の一方に発光素子を配置することが可能である。
【００５２】
左右方向における２本の補助指標Ｍ４の距離は、利用者の両眼の１／２程度であることが好ましい。また、第２指標Ｍ２は、左右方向の長さ寸法を利用者の両眼の距離よりも長くすることが好ましい。利用者がミラー本体１を利用する際に、利用者はミラー本体１から２０ｃｍ〜１ｍ程度離れており、この状態では、主に両眼視差によって奥行き感が得られている。
【００５３】
補助指標Ｍ４が上述のように設けられ、かつ利用者の顔が規定位置（適切な位置）であるときに、２本の補助指標Ｍ４は利用者にとって１本の第１指標Ｍ１として知覚される。すなわち、利用者は、両眼視差によって２本の補助指標Ｍ４を、利用者の鏡像の位置付近の第１指標Ｍ１として知覚する。
【００５４】
図８（ａ）において、第３指標Ｍ３は、利用者が規定位置に位置するための目安を与える指標であって、利用者は、第３指標Ｍ３である水平方向の２本の直線の間に顔あるいは身体の位置を合わせることで規定位置に誘導される。図８（ｂ）のように、上下方向の２本の直線を第５指標Ｍ５として左右に設けて利用者を規定位置に誘導してもよい。この場合、第５指標Ｍ５のそれぞれに左右２本ずつの補助指標Ｍ６を上述した補助指標Ｍ４と同様に設定して、利用者に位置合わせ用の指標（第５指標Ｍ５）であると知覚させる。
【００５５】
利用者は、目の高さを第２指標Ｍ２に合わせることによって、上下方向の位置合わせを行い、第１指標Ｍ１の位置に鼻梁の位置を合わせることによって、左右方向の位置合わせを行う。したがって、利用者とカメラ２との位置関係が適正化され、カメラ２での撮影時に、利用者の位置に関する条件のばらつきを抑制することができる。また、本実施形態の構成を採用すれば、利用者のカメラ２に対する位置を規定位置に容易に位置合わせすることが可能であり、位置合わせの精度も高くなる。したがって、カメラ２で撮影した画像から利用者の所要の情報を抽出する場合に、位置に関して同条件で撮影した画像を用いることになり、結果的に、抽出された情報の信頼性が高くなる。
【００５６】
本実施形態の構成では、電気的手段を用いていないが、他の実施形態と同様に、利用者の鏡像の位置付近に第１の指標Ｍ１が知覚されるようにしているから、利用者は第１の指標Ｍ１に対する位置合わせが容易になる。第１指標Ｍ１を表示するために補助指標Ｍ４を用いる点を除いて、本実施形態は、他の実施形態と同様に構成される。
【００５７】
（実施形態５）
本実施形態は、実施形態１の技術を利用した什器に関するものである。以下に説明する実施形態は、什器本体としてキャビネットおよび洗面ボウルを備えた洗面化粧台を想定している。ただし、以下に説明する実施形態は一例であって、三面鏡、姿見、浴室用鏡など、鏡を備える各種の什器本体と組み合わせることによって、ミラー付き什器を構成することが可能である。
【００５８】
図９に示すように、什器本体１０は、キャビネット１１を備え、キャビネット１１の上面であるカウンタ１２に洗面ボウル１３が取り付けられている。また、キャビネット１１の後部には実施形態１において説明したカメラ付きミラー装置が取り付けられる背ボード１４が設けられている。処理部４および発光制御部５を構成するコンピュータは、キャビネット１１あるいは背ボード１４の適宜の場所に収納される。また、本実施形態は、ディスプレイ装置３の画面にタッチスイッチを重ねたタッチパネルを操作部として備えていることを想定している。
【００５９】
洗面化粧台は、洗顔のために日々利用するから、カメラ２で撮像した画像に基づいて肌の状態などを管理するには好適である。また、洗面化粧台は洗顔に用いるから、洗顔後に素肌の状態を評価することにより、肌の状態を正確に評価することが可能になる。また、利用者は、カメラ２に対して顔の位置を合わせるために、ミラー本体１の鏡面に形成された利用者自身の鏡像を見ながら目や鼻梁の位置を指標に合わせるだけであるから、洗面化粧台を普通に使用する動きと違和感がなく、日常的に使い続けることができる。しかも、指標は、ミラー本体１の鏡面の後方において利用者の鏡像付近の距離に位置するように知覚されるから、利用者は、直観でわかりやすく指標との位置合わせを行うことが可能であるとともに、正確な位置合わせを行うことが可能になる。
【００６０】
洗面化粧台に設けたカメラ付きミラー装置は、利用者の操作によって起動させてもよいが、スタンバイ状態で休止させておくことが望ましい。スタンバイ状態では、カメラ２および処理部４の最小限の機能が動作しており、利用者が洗面化粧台の前に立ったときに、カメラ２で撮影されている画像に基づいて処理部４が利用者の存在を認識する。処理部４は、利用者の存在を認識すると、ディスプレイ装置３の下部に操作用のアイコンを表示する。
【００６１】
この状態において、アイコンに指あるいは手を近づけるかアイコンに触れると、処理部４および発光制御部５が起動され、ディスプレイ装置３が照明として発光し、カメラ２による撮影が行われる。その後、カメラ２で撮影された画像から所要の情報が抽出され、ディスプレイ装置３に表示されることになる。
【００６２】
アイコンは、ディスプレイ装置３が照明として用いられている間にはディスプレイ装置３に表示されず、カメラ２で撮影された画像から抽出された情報が表示されるときには、ディスプレイ装置３に再表示される。このアイコンは、ディスプレイ装置３の表示内容を切り換えたり、ディスプレイ装置３の表示を消したりする際に用いられる。さらに、アイコンは、カメラ２での撮影の開始や終了を指示するために用いることも可能である。利用者による操作を受け付けるために、ディスプレイ装置３にアイコンを表示する代わりに、音声認識の技術を採用し、音声あるいは音の種類を用いることにより、カメラ付きミラー装置の操作を行ってもよい。他の構成および動作は実施形態１と同様である。
【００６３】
なお、上述した構成例では、ディスプレイ装置３にタッチパネルを用いて利用者による操作を可能にしているが、処理部４および発光制御部５に対する指示を、赤外線や電波を媒体とする通信で行うようにしてもよい。たとえば、利用者が管理する移動体端末（携帯電話、スマートホンなど）に適宜のプログラム（いわゆる、「携帯アプリ」）を搭載しておき、移動体端末の通信用インターフェイスを通して指示を与えてもよい。
【００６４】
上述した構成例は、ミラー本体１を平面鏡とした場合について説明したが、ミラー本体１が三面鏡である場合、中央の鏡面にカメラ２を設置し、左右の鏡面に指標を表示してもよい。この構成を採用した場合、利用者は指標に対して位置を合わせることによって、カメラ２が斜め方向に位置することになる。したがって、利用者の顔をカメラ２で撮影するとすれば、顔の斜め前方からの画像が得られることになり、頬や目尻が明瞭に撮影されることになる。言い換えると、処理部４は、頬や目尻に関する所要の情報を精度よく抽出することが可能になる。
【符号の説明】
【００６５】
１  ミラー本体
２  カメラ
３  ディスプレイ装置
４  処理部
５  発光制御部
１０  什器本体
【図１】
2013145323.tif 000003
【図２】
2013145323.tif 000004
【図３】
2013145323.tif 000005
【図４】
2013145323.tif 000006
【図５】
2013145323.tif 000007
【図６】
2013145323.tif 000008
【図７】
2013145323.tif 000009
【図８】
2013145323.tif 000010
【図９】
2013145323.tif 000011